(57)【要約】【課題】  エレベータのかご機器間通信が無線で高速に行うことができ、かつ機械室及びかご上の無線通信装置設置スペースと配線スペースを無くすことができるエレベータのかご機器通信装置を得る。【解決手段】  エレベータのかご６上に設けられ、無線装置を内蔵したかご上ステーション１３と、無線装置を内蔵したかご操作盤１６又はかごインジケータ１８等のかご内機器と、かご上ステーション及びかご内機器にそれぞれ設けられ、かご内無線通信を行うための全２重送受信アンテナ１５、１７、１９とを備える。さらにまた、エレベータ機械室に設けられ、無線装置を内蔵したエレベータ制御盤１１を設け、エレベータ制御盤とかご上ステーションに、これら両者間の無線通信行うための全２重送受信アンテナ１２、１４を設ける。【選択図】    図１
2005096878.tif 000002
【特許請求の範囲】
【請求項１】
エレベータのかご上に設けられ、無線装置を内蔵したかご上ステーションと、
無線装置を内蔵したかご操作盤又はかごインジケータ等のかご内機器と、
前記かご上ステーション及びかご内機器にそれぞれ設けられ、かご内無線通信を行うための全２重送受信アンテナと、
を備えたことを特徴とするエレベータのかご機器通信装置。
【請求項２】
エレベータのかご上に設けられ、赤外線無線装置を内蔵したかご上ステーションと、
赤外線無線装置を内蔵したかご操作盤又はかごインジケータ等のかご内機器と、
を備え、前記かご上ステーション及びかご内機器にそれぞれ設けられた赤外線無線装置によりかご内無線通信を行うことを特徴とするエレベータのかご機器通信装置。
【請求項３】
赤外線無線装置は、赤外線の発光素子及び受光素子を複数個備えることを特徴とする請求項２記載のエレベータのかご機器通信装置。
【請求項４】
赤外線無線装置は、赤外線の発光素子及び受光素子を複数個それぞれ向きを変えて配置したことを特徴とする請求項２記載のエレベータのかご機器通信装置。
【請求項５】
かご内機器に設けられる赤外線無線装置は、人体位置より上に位置するかご内機器部位に設置したことを特徴とする請求項２〜請求項４のいずれかに記載のエレベータのかご機器通信装置。  
【請求項６】
エレベータ機械室に設けられ、無線装置を内蔵したエレベータ制御盤と、  
エレベータのかご上に設けられ、無線装置を内蔵したかご上ステーションと、
無線装置を内蔵したかご操作盤又はかごインジケータ等のかご内機器と、
前記エレベータ制御盤、かご上ステーション及びかご内機器にそれぞれ設けられ、エレベータ制御盤とかご上ステーションとの間の無線通信を行うとともにかご上ステーションとかご内機器との間の無線通信を行うための全２重送受信アンテナと、
を備えたことを特徴とするエレベータのかご機器通信装置。
【請求項７】
エレベータ制御盤とかご上ステーションにそれぞれ設けられる全２重送受信アンテナは、互いに垂直方向に重なるように設置したことを特徴とする請求項６記載のエレベータのかご機器通信装置。
【発明の詳細な説明】
【技術分野】
【０００１】
この発明はエレベータのかご機器通信装置に関するものである。
【背景技術】
【０００２】
従来のエレベータのかご機器通信装置の一例を図３により説明する。
図において、１はエレベータ機械室、２はエレベータ昇降路、３は巻上機、４は釣合いおもり、５は主ロープ、６はエレベータかご、７はエレベータ制御盤、８はかごドア制御等を行うかご上ステーション、９はかご操作盤、１０はかごインジケータである。
エレベータ制御盤７とかご上ステーション８とは移動ケーブルで接続され、また、かご上ステーション８とかご操作盤９、かご上ステーション８とかごインジケータ１０もそれぞれ配線ケーブルで接続されている。そして、これにより各機器の通信を行っている。
また、エレベータのかご機器間の通信及びエレベータ制御盤とエレベータかご機器との間の通信を無線で行う技術もある（例えば、特許文献１及び特許文献２参照）。
【０００３】
【特許文献１】特開２００２−３２１８７９号公報
【特許文献２】特開２００２−２３４６７７号公報
【発明の開示】
【発明が解決しようとする課題】
【０００４】
特許文献１に記載の技術では、エレベータかご機器にアンテナを備え、かご機器間を無線通信で行うシステムとしているが、１つのアンテナを送信時と受信時で切り換えて使用しているため、必然的に半２重通信となり、高速通信を行う上で問題が生じる。また、特許文献２に記載の技術では、エレベータ機械室とエレベータかご上にそれぞれ無線通信装置を設置してエレベータ制御盤とエレベータかご機器との通信を無線通信で行うシステムとしているが、機械室及びかご上に無線通信装置を設置するためのスペースと配線スペースを確保しなければならないという問題があった。
【０００５】
この発明は、上述のような課題を解決するためになされたもので、第１の目的は、エレベータのかご機器間通信が無線で高速に行うことができ、かつ機械室及びかご上の無線通信装置設置スペースと配線スペースを無くすことができるエレベータのかご機器通信装置を提供するものである。
【課題を解決するための手段】
【０００６】
この発明に係るエレベータのかご機器通信装置は、エレベータのかご上に設けられ、無線装置を内蔵したかご上ステーションと、無線装置を内蔵したかご操作盤又はかごインジケータ等のかご内機器と、かご上ステーション及びかご内機器にそれぞれ設けられ、かご内無線通信を行うための全２重送受信アンテナとを備えたものである。
【発明の効果】
【０００７】
この発明は、エレベータのかご上に設けられ、無線装置を内蔵したかご上ステーションと、無線装置を内蔵したかご操作盤又はかごインジケータ等のかご内機器と、かご上ステーション及びかご内機器にそれぞれ設けられ、かご内無線通信を行うための全２重送受信アンテナとを備えたので、エレベータのかご機器間通信が無線で高速に行うことができる。また、ケーブル配線が不要となり、ケーブル配線の煩わしさを解消することができる効果がある。
【発明を実施するための最良の形態】
【０００８】
実施の形態１．
図１はこの発明の実施の形態１におけるエレベータのかご機器通信装置を示す全体構成図である。
図１において、１はエレベータ機械室、２はエレベータ昇降路、３は巻上機、４は釣合いおもり、５は主ロープ、６はエレベータかご、１１は無線装置を内蔵したエレベータ制御盤、１２はエレベータ制御盤１１に設けられたアンテナ、１３は無線装置を内蔵したかご上ステーション、１４はかご上ステーション１３に設けられたエレベータ制御盤１１と通信するためのアンテナ、１５はかご上ステーション１３に設けられたかご内機器と通信するためのアンテナ、１６は無線装置を内蔵したかご操作盤、１７はかご操作盤１６に設けられたアンテナ、１８は無線装置を内蔵したかごインジケータ、１９はかごインジケータ１８に設けられたアンテナである。  
エレベータ制御盤１１とかご上ステーション１３との通信は、アンテナ１２及びアンテナ１４を介して行う。また、かご上ステーション１３とかご操作盤１６とかごインジケータ１８との通信は、アンテナ１５、アンテナ１７及びアンテナ１９を介して行う。
上記アンテナ１２、１４、１５、１７及び１９は、いずれも送信及び受信兼用のアンテナであり、かつ送受信の切り換え機能を有しない全２重通信が可能なアンテナである。
これにより、エレベータ制御盤１１とかご上ステーション１３との通信及びかご上ステーション１３とかご操作盤１６とかごインジケータ１８との通信を無線で全２重通信で行うことができるため、高速通信が可能となり、しかもその通信用のケーブルを完全に無くすことができる。
また、アンテナを含めた無線装置をエレベータ制御盤１１と、かご上ステーション１３とに備えているため、機械室及びかご上の無線装置の設置スペースと配線スペースを無くすことができる。
また、エレベータ制御盤１１とかご上ステーション１３の無線通信では、指向性を鋭くして距離の離れた通信を可能とするため、アンテナ軸はエレベータの進行方向と同じ向きである必要があるが、エレベータ制御盤１１とかご上ステーション１３とを垂直方向に重なるように設置することにより、アンテナ軸の確保が可能となる。
【０００９】
実施の形態２．
図２はこの発明の実施の形態２におけるエレベータのかご機器通信装置に用いる赤外線通信装置を示す構成図である。  
図２において、２０は送信用レンズ、２１は発光素子である赤外線発光ダイオード、２２は受信用レンズ、２３は受光素子であるフォトダイオードである。なお、２４は送信信号を受けて赤外線発光ダイオード２１を駆動するＬＥＤドライバー、２５はフォトダイオードが受信した受信信号を増幅するアンプである。
赤外線発光ダイオード２１を複数個それぞれ向きを変えて配置し、またフォトダイオード２３を複数個それぞれ向きを変えて配置した赤外線通信装置である。指向性の鋭い赤外線発光ダイオード２１及びフォトダイオード２３は、複数個向きを変えて設置することにより、通信角度を確保することができる。また、使用するダイオードの数を増やせば増やすほど、通信角度もより広く確保することができる。
このような赤外線通信装置をかご機器に備えることにより、指向性の鋭い赤外線通信の通信角度を広げることができるため、かご内の近距離通信では問題なく使用できることになる。
なお、指向性の鋭い赤外線は人体で遮られるため、かご内機器に設けられる赤外線通信装置自体は、人体位置より上に位置するかご内機器部位に設置することが望ましい。
【図面の簡単な説明】
【００１０】
【図１】この発明の実施の形態１におけるエレベータのかご機器通信装置を示す全体構成図である。
【図２】この発明の実施の形態２におけるエレベータのかご機器通信装置に用いる赤外線通信装置を示す構成図である。
【図３】従来のエレベータのかご機器通信装置を示す全体構成図である。
【符号の説明】
【００１１】
１  エレベータ機械室
２  エレベータ昇降路
３  巻上機
４  釣合いおもり
５  主ロープ
６  エレベータかご
１１  エレベータ制御盤
１２、１４、１５、１７、１９  アンテナ
１３  かご上ステーション
１６  かご操作盤
１８  かごインジケータ
２０  送信用レンズ
２１  赤外線発光ダイオード
２２  受信用レンズ
２３  フォトダイオード
２４  ＬＥＤドライバー
２５  アンプ
【図１】
2005096878.tif 000003
【図２】
2005096878.tif 000004
【図３】
2005096878.tif 000005